【手続補正書】
【提出日】平成28年9月1日(2016.9.1)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示の実行中に、当該可変表示に対応する対応表示を、前記有利状態に制御される期待度に対応した複数の表示態様のいずれかで表示可能な対応表示手段と、
対応表示の表示態様が変化することを示唆する特別演出及び特定演出を実行可能な演出実行手段と、
を備え、
前記特定演出は、前記特別演出よりも対応表示の表示態様が変化する割合が高く、
前記特定演出では、対応表示の表示態様が変化する場合に、対応表示の段階的な表示態様の変化を連続的に表示可能であることを特徴とする遊技機。
【請求項２】
可変表示を行い、遊技者にとって有利な有利状態に制御可能な遊技機であって、
可変表示に対応する保留表示を、前記有利状態に制御される期待度に対応した複数の表示態様のいずれかで表示可能な保留表示手段と、
保留表示の表示態様が変化することを示唆する特別演出及び特定演出を実行可能な演出実行手段と、
を備え、
前記特定演出は、前記特別演出よりも保留表示の表示態様が変化する割合が高く、
前記特定演出では、保留表示の表示態様が変化する場合に、保留表示の段階的な表示態様の変化を連続的に表示可能であることを特徴とする遊技機。
【請求項３】
可変表示に対応する保留表示の表示態様を変化させる第１変化演出を実行する第１変化演出実行手段と、
可変表示の実行中に表示され当該可変表示に対応する対応表示の表示態様を変化させる第２変化演出を実行する第２変化演出実行手段と、
を備え、
前記第１変化演出が実行された後に表示される保留表示の表示態様は、前記第２変化演出が実行された後に対応表示の表示態様として表示されない第１特殊態様を含み、
前記第２変化演出が実行された後に表示される対応表示の表示態様は、前記第１変化演出が実行された後に保留表示の表示態様として表示されない第２特殊態様を含む、
ことを特徴とする請求項１又は請求項２に記載の遊技機。
【手続補正２】
【補正対象書類名】明細書
【補正対象項目名】０００６
【補正方法】変更
【補正の内容】
【０００６】
（１）上記目的を達成するため、本願の第１の観点に係る遊技機は、
可変表示（例えば、識別情報の可変表示）を行い、遊技者にとって有利な有利状態（例えば、大当りの遊技状態）に制御可能な遊技機（例えば、パチンコ遊技機１）であって、
可変表示の実行中に、当該可変表示に対応する対応表示（例えば、アクティブ表示部ＡＨＡにおけるアクティブ表示）を、前記有利状態に制御される期待度に対応した複数の表示態様（例えば、複数の色の態様）のいずれかで表示可能な対応表示手段（例えば、ステップＳ３４１ｂ、Ｓ３４３の処理を実行してアクティブ表示の色を変化させる演出制御用ＣＰＵ１２０）と、
対応表示の表示態様が変化することを示唆する特別演出（例えば、変化演出Ｂ）及び特定演出（例えば、変化演出Ａ）を実行可能な演出実行手段（例えば、ステップＳ３４１ｂ、Ｓ３４３の処理を実行してアクティブ表示の色の変化中の演出を行う演出制御用ＣＰＵ１２０）と、
を備え、
前記特定演出は、前記特別演出よりも対応表示の表示態様が変化する割合が高く（例えば、変化演出Ａの場合において、図１６の決定割合により表示変化パターンがＹＨＰ１−１以外に決定されて、アクティブ表示の色が２段階以上の変化となる割合が、変化演出Ｂの場合において、図２０の決定割合により表示変化パターンがＺＨＰ１−１以外に決定されて、アクティブ表示の色が２段階以上の変化となる割合よりも高いこと）、
前記特定演出では、対応表示の表示態様が変化する場合に、対応表示の段階的な表示態様の変化を連続的に表示可能であること（例えば、変化演出Ａではアクティブ表示の色が白、青、緑、赤の順で変化すること）を特徴とする。
【手続補正３】
【補正対象書類名】明細書
【補正対象項目名】０００７
【補正方法】変更
【補正の内容】
【０００７】
このような構成によれば、対応表示の段階的な表示態様の変化を連続的に表示することによって、対応表示の表示態様が変化したことを遊技者が認識可能となり、表示態様の変化に関する興趣を向上させることができる。
【手続補正４】
【補正対象書類名】明細書
【補正対象項目名】０００８
【補正方法】変更
【補正の内容】
【０００８】
（２）上記目的を達成するため、本願の第２の観点に係る遊技機は、
可変表示（例えば、識別情報の可変表示）を行い、遊技者にとって有利な有利状態（例えば、大当りの遊技状態）に制御可能な遊技機（例えば、パチンコ遊技機１）であって、
可変表示に対応する保留表示（例えば、第１保留表示部５ＨＬ、第２保留表示部５ＨＲにおける保留表示）を、前記有利状態に制御される期待度に対応した複数の表示態様（例えば、複数の色の態様）のいずれかで表示可能な保留表示手段（例えば、ステップＳ３４１ｂ、Ｓ３４３の処理を実行して保留表示の色を変化させる演出制御用ＣＰＵ１２０）と、
保留表示の表示態様が変化することを示唆する特別演出（例えば、変化演出Ｂ）及び特定演出（例えば、変化演出Ａ）を実行可能な演出実行手段（例えば、ステップＳ３４１ｂ、Ｓ３４３の処理を実行して保留表示の色の変化中の演出を行う演出制御用ＣＰＵ１２０）と、
を備え、
前記特定演出は、前記特別演出よりも保留表示の表示態様が変化する割合が高く（例えば、変化演出Ａの場合において、図１６の決定割合により表示変化パターンがＹＨＰ１−１以外に決定されて、保留表示の色が２段階以上の変化となる割合が、変化演出Ｂの場合において、図２０の決定割合により表示変化パターンがＺＨＰ１−１以外に決定されて、保留表示の色が２段階以上の変化となる割合よりも高いこと）、
前記特定演出では、保留表示の表示態様が変化する場合に、保留表示の段階的な表示態様の変化を連続的に表示可能であること（例えば、変化演出Ａでは保留表示の色が白、青、緑、赤の順で変化すること）を特徴とする。
【手続補正５】
【補正対象書類名】明細書
【補正対象項目名】０００９
【補正方法】変更
【補正の内容】
【０００９】
このような構成によれば、保留表示の段階的な表示態様の変化を連続的に表示することによって、保留表示の表示態様が変化したことを遊技者が認識可能となり、表示態様の変化に関する興趣を向上させることができる。
【手続補正６】
【補正対象書類名】明細書
【補正対象項目名】００１０
【補正方法】変更
【補正の内容】
【００１０】
（３）上記（１）又は（２）の遊技機において、
可変表示に対応する保留表示の表示態様を変化させる第１変化演出（例えば変化演出Ｂ）を実行する第１変化演出実行手段（例えばステップＳ３４３の処理を実行する演出制御用ＣＰＵ１２０）と、
可変表示の実行中に表示され当該可変表示に対応する対応表示の表示態様を変化させる第２変化演出（例えばアイコン表示変化演出）を実行する第２変化演出実行手段（例えばステップＳ３４３の処理を実行する演出制御用ＣＰＵ１２０）と、
を備え、
前記第１変化演出が実行された後に表示される保留表示の表示態様は、前記第２変化演出が実行された後に対応表示の表示態様として表示されない第１特殊態様（例えば「秘」の表示など）を含み、
前記第２変化演出が実行された後に表示される対応表示の表示態様は、前記第１変化演出が実行された後に保留表示の表示態様として表示されない第２特殊態様（例えば「チャンス」や「ＮＥＸＴ」、「激熱」の表示など）を含む、ようにしてもよい。
【手続補正７】
【補正対象書類名】明細書
【補正対象項目名】００１２
【補正方法】変更
【補正の内容】
【００１２】
（４）上記（１）〜（３）のいずれかの遊技機において、
前記演出実行手段は、前記特定演出の実行後に、対応表示又は保留表示の表示態様が変化する割合を低くし（例えば、変化演出Ａの表示変化パターンの決定により可変表示２回分の表示変化パターン（ＹＨＰ３−１、３−２）に決定される割合が、変化演出Ａの可変表示１回分の表示変化パターン（ＹＨＰ１−１〜１−３、２−１、２−２）に決定される割合よりも低いこと）、
前記演出実行手段は、前記特定演出の実行後に、対応表示又は保留表示を前記有利状態に制御される期待度が高い表示態様に変化させること（例えば、大当りの場合には、変化演出Ａの表示変化パターンの決定により可変表示２回分の表示変化パターン（ＹＨＰ３−１、３−２）に決定される割合がハズレの場合よりも高いこと）ようにしてもよい。
【手続補正８】
【補正対象書類名】明細書
【補正対象項目名】００１４
【補正方法】変更
【補正の内容】
【００１４】
（５）上記（１）〜（４）のいずれかの遊技機において、
前記演出実行手段は、前記特定演出の実行が決定されているとき（例えば、ステップＳ３０４、Ｓ３０９において変化演出Ａの表示変化パターンが決定されたとき）に、前記特定演出の実行前の前記特別演出の実行を制限してもよい（例えば、変化演出Ａより前の変化演出Ｂの実行を不可とする、あるいは、変化演出Ａより前の変化演出Ｂにおける保留表示やアクティブ表示の色の変化を不可とすること）。
【手続補正９】
【補正対象書類名】明細書
【補正対象項目名】００１６
【補正方法】変更
【補正の内容】
【００１６】
（６）上記（１）〜（５）のいずれかの遊技機において、
前記特定演出では、保留表示又は対応表示の表示態様が変化するか否かを報知するときに、変化後の候補の表示態様と変化前の表示態様とを領域を分けて視認可能に表示し、変化後の候補の表示態様の領域が変化前の表示態様の領域よりも拡大したこと、又は、変化後の候補の表示態様の領域が保留表示又は対応表示の全領域に至ったことに基づいて、保留表示又は対応表示の表示態様を変化させる（例えば、図３０（Ｂ）〜（Ｅ１）に示すように、キャラクタＣＨαからの青のビームＢＭ１を浴びて保留表示部５ＨＲにおける保留表示の色が白から青に徐々に変化すること）ようにしてもよい。